(57)【特許請求の範囲】
【請求項１】
透明性を有する表面基板と、
前記表面基板に対向配置された背面基板と、
前記表面基板と前記背面基板との空間を複数のセルに仕切る仕切り部材と、
前記複数のセル内に封入され、付与された電界に応じて前記セル内を移動する正又は負に帯電した粒子群と、
外光を受ける位置であって、前記表面基板と前記仕切り部材の間、又は前記背面基板と前記仕切り部材の間に設けられた太陽電池とを備えたことを特徴とする画像表示媒体。
【請求項２】
請求項１に記載の画像表示媒体を備えたことを特徴とする画像表示装置。
【請求項３】
請求項１に記載の画像表示媒体と、
電圧が印加されることにより前記電界を付与する一対の電極と、
前記太陽電池によって充電されるとともに、前記一対の電極に前記電圧を印加するバッテリー電源と、
前記一対の電極への前記電圧の印加を制御する制御手段とを備えたことを特徴とする画像表示装置。
【請求項４】
前記一対の電極は、前記画像表示媒体に設けられていることを特徴とする請求項３記載の画像表示媒体。
【請求項５】
前記制御手段は、前記太陽電池から電力供給されて動作することを特徴とする請求項４記載の画像表示媒体。
【発明の詳細な説明】
【技術分野】
【０００１】
本発明は、電界により着色粒子を移動させて画像表示を行う画像表示媒体および画像表示装置に関し、特に、電源の省スペース化、及び装置の小型化とケーブレス化ができる画像表示媒体および画像表示装置に関する。
【背景技術】
【０００２】
電界により着色粒子を移動させて画像表示を行う画像表示媒体および画像表示装置として、例えば、特許文献１に記載された画像表示媒体および画像表示装置が知られている。
【０００３】
この画像表示媒体は、表面基板部材上に形成された列電極を誘電体膜により保護した透光性を有する表面基板と、背面基板部材上に形成された行電極を誘電体膜により保護した背面基板と、基板間を微小な間隔に対向配置させるとともに、基板間を基板と平行な方向に仕切って複数のセルを形成する仕切り部材と、負に帯電した白色粒子群と正に帯電した黒色粒子群とを各セル内に封入して構成され、セル毎に一つの画素を設けている。
【０００４】
この画像表示装置において、行電極と列電極との間に直流電圧を印加すると、電極間の画素に電界が形成され、電界の向きに応じて白色粒子と黒色粒子が表面基板または背面基板側へ移動し、表面基板の内面に付着した白色粒子と黒色粒子とのコントラストにより表面基板を通して白黒の画像表示が行われる。
【０００５】
この構成によれば、電界を変化させない限り表示が消えないため、画像書き込み後は無電源で画像を保持できることから、低消費電力にて表示することができる。
【特許文献１】特開２００２−９９００２号公報（［０００８］、図２３〜図２４）
【発明の開示】
【発明が解決しようとする課題】
【０００６】
しかし、従来の画像表示装置によると、２００Ｖ程度の直流電圧を印加する必要がある画像表示の際に、商用電源もしくは大容量電源に接続しなければならないことから、設置場所に一定の制約がある。また、バッテリーを搭載している場合においてもある程度の大きさのバッテリーが必要となるとともに、充電のために商用電源に接続しなければならないことから、装置の大型化と設置場所の問題が生じる。
【０００７】
従って、本発明の目的は、電源の省スペース化、及び装置の小型化とケーブレス化ができる画像表示媒体および画像表示装置を提供することにある。
【課題を解決するための手段】
【０００８】
本発明は、上記目的を達成するため、透明性を有する表面基板と、前記表面基板に対向配置された背面基板と、前記表面基板と前記背面基板との空間を複数のセルに仕切る仕切り部材と、前記複数のセル内に封入され、付与された電界に応じて前記セル内を移動する正又は負に帯電した粒子群と、外光を受ける位置であって、前記表面基板と前記仕切り部材の間、又は前記背面基板と前記仕切り部材の間に設けられた太陽電池とを備えたことを特徴とする画像表示媒体を提供する。
【００１０】
本発明は、上記目的を達成するため、透明性を有する表面基板と、前記表面基板に対向配置された背面基板と、前記表面基板と前記背面基板との空間を複数のセルに仕切る仕切り部材と、前記複数のセル内に封入され、付与された電界に応じて前記セル内を移動する正又は負に帯電した粒子群と、外光を受ける位置であって、前記表面基板と前記仕切り部材の間、又は前記背面基板と前記仕切り部材の間に設けられた太陽電池とを備えた画像表示媒体と、電圧が印加されることにより前記電界を付与する一対の電極と、前記太陽電池によって充電されるとともに、前記一対の電極に前記電圧を印加するバッテリー電源と、前記一対の電極への前記電圧の印加を制御する制御手段とを備えたことを特徴とする画像表示装置を提供する。
【発明の効果】
【００１２】
本発明の画像表示媒体および画像表示装置によれば、電源の省スペース化、及び画像表示装置の小型化とケーブレス化を実現することができる。
【発明を実施するための最良の形態】
【００１３】
以下、本発明の実施の形態を図を参照して説明するが、本発明はこれらに限定されるものではない。
【００１４】
［第１の実施の形態］
（画像表示装置の全体の構成）
図１は、本発明の第１の実施の形態に係る画像表示装置を示す。この画像表示装置１０は、太陽電池２３を備えた表面基板２Ａ、背面基板３Ａ、仕切り部材５、および粒子６Ａ，６Ｂからなる粒子群を主体に構成される画像表示媒体１Ａと、太陽電池２３と接続されたバッテリー充電回路１１と、バッテリー充電回路１１の充電制御により充電されるバッテリー電源１２と、画像表示媒体１Ａに電圧を印加して電界を付与する電界付与手段としての電圧印加部１４と、バッテリー電源１２と電圧印加部１４とを接続するスイッチ１３と、画像記憶部１６に記憶された画像データに基づいて電圧印加部１４を制御する制御回路１５とを有して概略構成されている。
【００１５】
（画像表示装置の各部の構成）
バッテリー充電回路１１は、太陽電池２３にて発電された電気エネルギーをバッテリー電源１２へ充電する際の制御を行う充電コントロール部と、逆流防止用のダイオードとを備えている。
【００１６】
充電コントロール部は、過充電防止回路と過放電防止回路を備えて充電の制御を行っており、太陽電池２３に光が当たると充電を開始させ、過充電設定電圧に達したとき、又は光が当たらなくなると充電を停止させる。
【００１７】
バッテリー電源１２には、リチウムイオン二次電池等の二次電池を用いることができるが、小型かつ大容量の性能を有するものであることが好ましい。本発明においては、望ましくは、補助バッテリーを必要としない性能を備えた太陽電池２３とバッテリー電源１２を搭載するが、バッテリー電源１２は、補助的に使用するために外部のバッテリーや商用電源と接続可能な構成としてもよい。この際、太陽電池２３からの充電不足によりバッテリー電源１２の蓄電量が低下して電圧値が閾値を下回り、電源閾値検出信号が制御回路１５に入力されると、警告ランプが点灯し外部バッテリーを接続するよう促す、あるいは接続されている外部バッテリーからの充電を自動的に開始する。
【００１８】
電圧印加部１４は、初期化用の交番電圧を発生する交番電圧発生部と、粒子６Ａ，６Ｂによる２色表示を行うための直流電圧を発生する直流電圧発生部とを備えている。
【００１９】
交番電圧発生部は、初期状態、例えば、白色粒子６Ａを一方の基板側に付着させ、黒色粒子６Ｂを他方の基板側に付着させるために用いられ、所定の周波数（例えば、２００Ｈｚ〜１０ｋＨｚ）の交番電圧（例えば、±７０Ｖ）を全部の画素に印加する。
【００２０】
直流電圧発生部は、直流電圧（例えば、＋１４０Ｖ又は−１４０Ｖ）を出力して白色粒子６Ａと黒色粒子６Ｂを用いて２色表示を行う際に用いられる。
【００２１】
制御回路１５は、例えば、ＣＰＵ、ＲＯＭ、ＲＡＭ、入出力インターフェース（Ｉ／Ｆ）回路等を備えて構成されている。ＣＰＵは、ＲＯＭに格納された制御プログラムに従って交番電圧発生部および直流電圧発生部の１つを選択して動作させるとともに、画像記憶部１６からの画像データに基づいて表面基板２Ａおよび背面基板３Ａ内の各電極に電圧を印加させる。この際、ＣＰＵは、スイッチ１３に対し開閉の制御を行い、バッテリー電源１２から電圧印加部１４への電力供給を制御する。なお、制御回路１５と画像記憶部１６によってパーソナルコンピュータを構成してもよい。また、画像データは、ＣＤ−ＲＯＭ等の記録媒体から画像記憶部１６に入力してもよく、ＬＡＮ(Local Area Network)等のネットワークを介して画像記憶部１６に入力してもよい。また、ＣＰＵは、表面基板２Ａ等に設けた外光を検出する光センサーによる信号に基づき、バッテリー充電回路１１に対して充電のオン・オフの制御を行うようにしてもよい。
【００２２】
制御回路１５は、日照時は太陽電池２３から直接に電力を受け取り動作するが、光が当たらなくなるとバッテリー電源１２からの電力により動作する。
【００２３】
（画像表示媒体の全体の構成）
画像表示媒体１Ａは、図１に示すように、矢印Ａの方向が表示内容を見る方向になる。画像表示媒体１Ａは、透光性を有する表面基板２Ａと、この表面基板２Ａに対向するように配置された背面基板３Ａと、基板２Ａ，３Ａ間を微小な間隔に対向配置させて保持するとともに、基板２Ａ，３Ａに平行な方向に仕切って複数のセル４（４Ａ〜４Ｄ）を形成する仕切り部材５と、セル４に封入されるとともに、色および帯電特性が異なる白色粒子６Ａおよび黒色粒子６Ｂからなる２つの帯電性粒子群とを有して構成されている。なお、図１において、セル４Ａ〜４Ｄは、４つのみを図示したが、実際には、画素数に応じて更に多数のセルが２次元アレイ状に配列されている。
【００２４】
（画像表示媒体の各部の構成）
表面基板２Ａは、全体として透明性を有しており、例えば、１．１ｍｍ厚さの透明ガラス基板等からなる表面基板部材２０と、表面基板部材２０上に形成されたインジウム錫酸化物（ＩＴＯ）等からなる透明な帯状の複数の列電極２１（２１Ａ〜２１Ｄ）と、これらの列電極２１を保護するとともに白色粒子６Ａと黒色粒子６Ｂの帯電特性を安定化させるポリカーボネート等からなる誘電体層２２と、保護層２４で覆われた、酸化亜鉛半導体等からなる太陽電池２３とを積層して構成されている。複数の列電極２１Ａ〜２１Ｄは、実際には、紙面に平行なセル数に対応する数だけ所定間隔で配設されている。なお、本発明でいう透明性とは、できる限り透明度が高いことが望ましいが、半透明又は有色透明であってもよい。
【００２５】
誘電体層２２には、セル４に封入する白色粒子６Ａおよび黒色粒子６Ｂの帯電特性に応じて、ポリカーボネート、ポリエステル、ポリイミド、エポキシ等を用いることができる。また、誘電体層２２は、その絶縁性材料中に電荷輸送物質を含有させることができる。電荷輸送物質を含有させることにより、白色粒子６Ａおよび黒色粒子６Ｂへの電荷注入による粒子帯電性の向上や、これら粒子６Ａ，６Ｂの帯電量が極度に大きくなった場合に粒子６Ａ，６Ｂの電荷を漏洩させ、粒子６Ａ，６Ｂの帯電量を安定させるなどの効果を得ることができる。
【００２６】
太陽電池２３には、保護層２４で覆われた、酸化亜鉛半導体等からなる透明太陽電池を用いる。太陽電池自体に表面保護シートが形成されている場合には、保護層２４は特に必要とされない。太陽電池２３は、表面基板部材２０上の全体を覆うように設けるほか、表面基板部材２０上の枠部（端部）にのみ設けるようにしてもよく、上側半分のみに設ける等の種々の形態を採用し得る。また、透明の太陽電池２３は、表面基板部材２０の外側ではなく、内側へ設ける構成とすることもできる。
【００２７】
太陽電池２３は、発電効率が高く、かつ画像をクリアに見ることができるよう透明度の高いものを用いることが望ましい。また、保護層２４には、ポリプロピレン系樹脂フィルム等が用いられ、粒子６Ａ，６Ｂの劣化を防ぐため、紫外線吸収剤等を含有することが望ましい。
【００２８】
背面基板３Ａは、例えば、０．６ｍｍ厚さのエポキシ樹脂等からなる背面基板部材３０と、背面基板部材３０の片面に形成され、紙面と垂直方向に所定間隔で平行に配設された銅箔等からなる帯状の複数の行電極３１と、複数の行電極３１を保護するとともに、粒子６Ａ，６Ｂの帯電性特性を安定化させる誘電体層３２とを有して構成されている。
【００２９】
行電極３１は、１つのセルに１本設けられるが、解像度を上げるために複数本設けてもよい。同様に、列電極２１も１つのセルに１本ではなく、複数設けてもよい。行電極３１と列電極２１は交差するように配置され、単純マトリックス駆動により電極２１，３１間の画素に電圧が印加されるように構成されている。
【００３０】
誘電体層３２の母材には、誘電体層２２と同様に行電極３１に直流電圧が印加されたときに帯電する誘電体を素材に用い、行電極３１への電圧印加が終了した後でも、背面基板３Ａ側に付着した粒子６Ａ，６Ｂの帯電が保持されるようにする。
【００３１】
誘電体層３２は、着色層、例えば、着色材を背面基板部材３０に塗布、あるいはフィルム状にしたものを貼付して形成した層としても良く、この場合、白黒粒子の２色とあわせて３色表示とすることができる。背面基板色を画面表示させるには、その対象画素に対応する電極間に所定の周波数の交番電圧を印加することにより、対象画素に存在する粒子を周辺に退避させ、着色層上に白色粒子および黒色粒子が存在しないようにし、表面基板を通して背面基板色が見えるようにする。
【００３２】
仕切り部材５は、例えば、熱硬化性樹脂からなるインクをスクリーン印刷し、オーブン中で加熱焼成する処理を仕切り部材５が所望の高さになるまで複数回繰り返すことにより、背面基板３Ａ上に形成される。あるいは、ドライレジストフィルムなどの感光性樹脂を背面基板３Ａ上積層して貼り付け、フォトリソグラフィ法により所定のパターンに露光・現像して形成しても良い。背面基板３Ａ上に形成された仕切り部材５の端面と表面基板２Ａとは、接着剤により接合される。仕切り部材５としては、熱硬化性樹脂の他に、熱可塑性樹脂、電子線硬化樹脂、光硬化性樹脂、ゴム等の絶縁材料を用いることができる。仕切り部材５と表面基板２Ａとを接合する接着剤としては、熱可塑性接着剤、熱活性型接着剤、熱圧接着剤、紫外線硬化型接着剤等を用いることができる。
【００３３】
白色粒子６Ａと黒色粒子６Ｂは、相互の摩擦による摩擦帯電により、互いに異なる極性に帯電する。ここでは、白色粒子６Ａは負に帯電しており、黒色粒子６Ｂは正に帯電している。
【００３４】
白色粒子６Ａは、例えば、体積平均粒径２０μｍの酸化チタン含有架橋ポリメチルメタクリレートの球状微粒子（積水化成品工業（株）性テクポリマーＭＢＸ−２０−ホワイトを分級）１００重量部にイソプロピルトリメトキシシラン処理したチタニアの微粉末０．４重量部を外添して得ることができる。
【００３５】
黒色粒子６Ｂは、例えば、体積平均粒径２０μｍのカーボン含有架橋ポリメチルメタクリレートの球状微粒子（積水化成品工業（株）製テクポリマーＭＢＸ−２０−ブラックを分級）を用いることができる。
【００３６】
（画像表示装置の動作）
次に、この第１の実施の形態に係る画像表示装置１０の動作を説明する。
【００３７】
透明の太陽電池２３に太陽光又は照明が照射されると、発生した電気エネルギーは制御回路１５の電力として使用されるほか、バッテリー充電回路１１に制御されてバッテリー電源１２に充電される。
【００３８】
白色粒子６Ａと黒色粒子６Ｂにより２色表示を行う場合、制御部１５は、まずスイッチ１３を閉じるよう指令を出し、バッテリー電源１２から電圧印加部１４へ電力供給を可能として、画像記憶部１６に記憶された画像データに基づいて電圧印加部１４の直流電圧発生部を動作させる。直流電圧発生部は、行電極３１に順次選択電圧（例えば、０Ｖ）を印加し、各列電極２１Ａ〜２１Ｄには、画像データに応じて正又は負の画像電圧（例えば、＋１４０Ｖ又は−１４０Ｖ）を所定の時間（例えば、３０ｍｓ）印加する。
【００３９】
図１に示す場合は、行電極３１への選択電圧の印加に同期して列電極２１Ａ〜２１Ｄに負、負、正、負の直流電圧を順次印加したものである。図１に示すように、負に帯電した白色粒子６Ａは、正が印加された列電極２１Ｃ側に移動して表面基板２Ａの内面に付着し、正に帯電した黒色粒子６Ｂは、これとは逆の行電極３１側の背面基板３Ａの内面に付着する。正に帯電した黒色粒子６Ｂは、負が印加された列電極２１Ａ，２１Ｂ，２１Ｄ側に移動して表面基板２Ａの内面に付着し、負に帯電した白色粒子６Ｂは、これとは逆の行電極３１側の背面基板３Ａの内面に付着する。このようにして白黒画像が表面基板２Ａを通して表示される。
【００４０】
電極２１Ａ〜２１Ｄ，電極３１への電圧の印加を停止しても、粒子６Ａ，６Ｂと誘電体層２２，３２との間の静電付着力が維持されるため、粒子６Ａ，６Ｂは基板２Ａ，３Ａの内面に付着したまま保持され、長時間に渡り白黒画像が表示される。
【００４１】
初期状態にする場合には、制御部１５は、電圧印加部１４の交番電圧発生部を動作させ、行電極３１に所定の周波数（例えば、８００Ｈｚ）の交番電圧（例えば、±７０Ｖ）を印加するとともに、これと逆位相の交番電圧（例えば、±７０Ｖ）を各列電極２１に印加し、最終パルスとして例えば列電極２１に正の直流電圧を印加することにより、白色粒子６Ａが表面基板２Ａの内面全体に付着し、黒色粒子６Ｂが背面基板３Ａの内面全体に付着し、初期状態に戻される。このとき、画像表示媒体１を方向Ａから見ると、白色粒子６Ａによる白色画面のみが見えている。
【００４２】
（第１の実施の形態の効果）
この第１の実施の形態によれば、以下の効果が得られる。
（イ）電力源として、バッテリー電源１２と共に表面基板２Ａに配置した太陽電池２３を用いているため、省エネルギーが実現されるとともに、画像表示装置のケーブレス化が可能となる。また、太陽電池２３の配置構成とバッテリー電源１２の小型化による省スペース化が可能となるため、画像表示装置の小型化、軽量化も可能となる。
（ロ）低消費電力で動作可能な制御回路１５の電力源を日照時は太陽電池２３から直接供給されるように構成したことにより、バッテリー電源１２を小型化でき、また、バッテリー電源１２の電力消費と消耗（寿命）を遅らせることができるとともに、エネルギー効率を高めることが可能となる。
【００４３】
［第２の実施の形態］
図２は、本発明の第２の実施の形態に係る画像表示媒体を示す。この第２の実施の形態に係る画像表示媒体１Ｂは、図１に示す表面基板２Ａの透明の太陽電池２３および保護層２４に代えて、仕切り部材５上に太陽電池２５を設けたものであり、他は第１の実施の形態と同様に構成されている。
【００４４】
太陽電池２５は、仕切り部材５と表面基板２Ｂの誘電体層２２との間に、仕切り部材５上に設けられ、仕切り部材５と太陽電池２５、および太陽電池２５と表面基板２Ｂの間は、前述した仕切り部材５と表面基板２とを接合する接着剤を用いることができ、表面基板２Ｂとの間は、太陽電池への光照射を遮らないように透光性を有しているものが用いられる。エネルギー量をより高めるために、すべての仕切り部材５上に設けられることが望ましい。図１の透明の太陽電池２３と異なり、セル上にかからないため、透明太陽電池に限られず、あらゆる種類の太陽電池を使用できる。例えば、単結晶シリコン、多結晶シリコン、アモルファスシリコン、化合物半導体を用いたものなど、一般に広く普及しているものが使用できる。
【００４５】
（第２の実施の形態の効果）
この第２の実施の形態によれば、第１の実施の形態と同様の効果が期待できるほか、仕切り部材５上に太陽電池２５を設ける構成としたため、電源の省スペース化がさらに図られるとともに、白黒粒子６Ａ，６Ｂが表示される表面基板上に太陽電池２５がかからないため、表面基板２上の全面に透明太陽電池を配置した場合と比較してコントラストの高い画面を表示することができる。
【００４６】
［第３の実施の形態］
図３は、本発明の第３の実施の形態に係る画像表示媒体を示す。この第３の実施の形態に係る画像表示媒体１Ｃは、図１に示す背面基板３Ａに代えて、透明の太陽電池３３を備えた背面基板３Ｂを用いたものであり、他は第１の実施の形態と同様に構成されている。
【００４７】
背面基板３Ｂは、表面基板２Ａと同様に基板部材上に太陽電池３３と保護層３４を有して構成されている。太陽電池３３と保護層３４の説明は、透明の太陽電池２３と保護層２４の説明と同様であるので省略する。
【００４８】
かかる構成にすることにより、画像表示媒体１Ｃは、図３に示すように、矢印Ａの方向及び矢印Ｂの方向が表示内容を見る方向になる。例えば、背面基板３Ｂ側を窓の内面などに設置した場合、昼間は太陽光が太陽電池３３に照射し、夜間は室内光が太陽電池２３に照射することにより、終日、かつ、およそ２倍の発電量が可能となる。
【００４９】
この際、背面基板３Ｂ側からは表面基板２Ａ側とは白黒反転した表示がなされるが、両面での表示が可能となるため、利便性が増す。片面表示のみでよい場合には、背面基板３Ｂ上の太陽電池３３は透明太陽電池である必要はなく、あらゆる種類の太陽電池を使用できる。例えば、単結晶シリコン、多結晶シリコン、アモルファスシリコン、化合物半導体を用いたものなど、一般に広く普及しているものが使用できる。
【００５０】
（第３の実施の形態の効果）
この第３の実施の形態によれば、第１の実施の形態と同様の効果が期待できるほか、表面基板および背面基板の両方に太陽電池を設ける構成としたため、両面での表示が可能となり利便性が増すとともに、発電量の増加、かつ省スペース化が実現される。
【００５１】
以上説明した第１乃至第３の実施の形態は、それぞれ組み合わせて構成することもできる。すなわち、第１の実施の形態において、仕切り部材５上に太陽電池２５を設けることができ、第３の実施の形態において、仕切り部材５上に太陽電池２５を設けることができる。これにより、さらなる発電量の増加、かつ省スペース化が実現される。
【００５２】
また、他の実施の形態として、透明性のある背面基板を用いる場合には、仕切り部材５と背面基板との間に、第２の実施の形態における太陽電池２５と同様の太陽電池を設けることができ、第１乃至第３の実施の形態と組み合わせることもできる。これにより、さらなる発電量の増加、かつ省スペース化が実現される。
【００５３】
また、太陽電池の配置、形状は上記の実施の形態に限られるものではなく、種々の配置、形状が採用でき、例えば、表面基板又は背面基板等へのスライド収納式とすることができる。
【００５４】
なお、上記の実施の形態においては、一対の電極（列電極、行電極）を一対の基板（表面基板、背面基板）に設けたが、一対の電極は画像表示媒体の外に設けてもよい。これにより、表示画面の透明度が高くなる点で本発明の望ましい一態様である。また、一対の電極は、全面電極と画素電極、画素電極同士の組み合わせでもよい。さらに、画像表示媒体としては、その他強誘電液晶に代表されるメモリー性のある液晶や、帯電された粒子を移動させて表示を切り替える電気泳動方式、帯電された粒子を回転させて表示を切り替える粒子回転方式、磁気により粒子を移動させて表示を切り替える磁気泳動方式を用いても良い。 
【図面の簡単な説明】
【００５５】
【図１】本発明の第１の実施の形態に係る画像表示装置の概略構成を示す図である。
【図２】本発明の第２の実施の形態に係る画像表示媒体の要部断面図である。
【図３】本発明の第３の実施の形態に係る画像表示媒体の要部断面図である。
【符号の説明】
【００５６】
１Ａ，１Ｂ，１Ｃ  画像表示媒体
２Ａ，２Ｂ  表面基板
３Ａ，３Ｂ  背面基板
４Ａ，４Ｂ，４Ｃ，４Ｄ  セル
５  仕切り部材
６Ａ  白色粒子
６Ｂ  黒色粒子
１０  画像表示装置
１１  バッテリー充電回路
１２  バッテリー電源
１３  スイッチ
１４  電圧印加部
１５  制御回路
１６  画像記憶部
２０  表面基板部材
２１Ａ，２１Ｂ，２１Ｃ，２１Ｄ  列電極
２２  誘電体層
２３，２５，３３  太陽電池
２４，３４  保護層
３０  背面基板部材
３１  行電極
３２  誘電体層
【図１】
0004645048.tif 000002
【図２】
0004645048.tif 000003
【図３】
0004645048.tif 000004